(57)【要約】      （修正有）【課題】要介護者の脱ぎ捨て行為を防ぐことができ、要介護者に適切な治療や適切な介護を施すことができる介護用ミトンを提供する。【解決手段】介護用ミトン１０は、柔軟性を有する素材から作られて要介護者の手の甲の側を包被する第１包被材１１と、柔軟性を有する素材から作られて要介護者の手の平の側を包被する第２包被材１２と、第１包被材１１の内面に取り付けられて要介護者の手の甲の側を包被する第１クッション材と、第２包被材１２の内面に取り付けられて要介護者の手の平の側を包被する第２クッション材と第１および第２包被材１１，１２の周縁部に取り付けられてそれら包被材１１，１２を連結する線ファスナ１５と、第２包被材１２の内面に取り付けられて要介護者の手首を介護用ミトン１０に連結する非伸縮性リストバンドおよび伸縮性リストバンドとを有する。【選択図】図１
2018028152.tif 000002
【特許請求の範囲】
【請求項１】
要介護者に装着する介護用ミトンにおいて、
前記介護用ミトンが、柔軟性を有する素材から作られて前記要介護者の手の甲の側に位置し、該要介護者の前腕から五指へ向かう部位のうちの少なくとも五指と手の甲と手首を含む腕前端部位とを包被する第１包被材と、柔軟性を有する素材から作られて前記要介護者の手の平の側に位置し、該要介護者の前腕から五指へ向かう部位のうちの少なくとも五指と手の平と手首を含む腕前端部位とを包被する第２包被材と、前記第１および第２包被材の周縁部に取り付けられてそれら包被材を連結する線ファスナと、前記第１および第２包被材のうちのいずれか一方の内面に取り付けられて前記要介護者の手首を前記介護用ミトンに連結するリストバンドとを有することを特徴とする介護用ミトン。
【請求項２】
前記介護用ミトンが、前記第１包被材の内面に取り付けられて前記要介護者の少なくとも手の甲と五指とを包被する第１クッション材と、前記第２包被材の内面に取り付けられて前記要介護者の少なくとも手の平と五指とを包被する第２クッション材とを含む請求項１に記載の介護用ミトン。
【請求項３】
前記第１包被材と前記第１クッション材とが、前記要介護者の手の甲に並行する略平坦な形態を備え、前記第２包被材と前記第２クッション材とが、前記要介護者の手の平に並行する略平坦な形態を備え、前記介護用ミトンでは、前記第１および第２クッション材の硬さが前記第１および第２包被材のそれよりも硬く、前記第１および第２包被材の略平坦な形態が前記第１および第２クッション材の剛性によって保持される請求項２に記載の介護用ミトン。
【請求項４】
前記第１および第２クッション材のうちの少なくとも一方には、該クッション材を貫通する貫通孔と、該クッション材の肉厚を小さくした凹条溝とのうちの少なくとも一方が形成されている請求項２または請求項３に記載の介護用ミトン。
【請求項５】
前記線ファスナには、前記要介護者の前腕のうちの手首を含む少なくとも腕前端部位を包被する前記第１および第２包被材の包被端から所定寸法延出し、前記線ファスナの全閉状態において該線ファスナのスライダーが位置する自由延出部が形成されている請求項１ないし請求項４いずれかに記載の介護用ミトン。
【請求項６】
前記介護用ミトンが、前記線ファスナの自由延出部に取り付けられた第１点ファスナと、前記第１および第２包被材のうちのいずれか一方の内面に取り付けられた第２点ファスナとを含み、前記介護用ミトンでは、前記第１点ファスナと前記第２点ファスナとを係合させることで、前記線ファスナの自由延出部に位置するスライダーが前記第１および第２包被材の内側に位置する請求項５に記載の介護用ミトン。
【請求項７】
前記第２点ファスナが、前記線ファスナを取り付けた前記第１および第２包被材のいずれか一方の周縁部であって前記要介護者の前腕のうちの手首を含む少なくとも腕前端部位を包被する該第１および第２包被材のいずれか一方の内面に取り付けられている請求項６に記載の介護用ミトン。
【請求項８】
前記リストバンドが、非伸縮性の素材から作られて前記要介護者の手首を包被し、該要介護者の手首を前記第１および第２包被材のうちのいずれか一方に連結する非伸縮性リストバンドと、伸縮性の素材から作られて前記非伸縮性リストバンドの外側に位置し、前記要介護者の手首を前記第１および第２包被材のうちのいずれか一方に固定する伸縮性リストバンドとから形成されている請求項１ないし請求項７いずれかに記載の介護用ミトン。
【請求項９】
前記非伸縮性リストバンドが、前記要介護者の手首全体を包被する幅寸法を有し、前記介護用ミトンでは、前記要介護者の手首に前記伸縮性リストバンドを伸長下に装着することで該伸縮性リストバンドが該要介護者の手首を締め付け、前記非伸縮性リストバンドが前記要介護者の手首に密着する請求項８に記載の介護用ミトン。
【請求項１０】
前記介護用ミトンでは、前記非伸縮性リストバンドどうしが面ファスナによって環状に連結され、前記面ファスナの固着位置を調節することで前記非伸縮性リストバンドの環の長さが調節されて該非伸縮性リストバンドが前記要介護者の手首全体に密着する請求項９に記載の介護用ミトン。
【発明の詳細な説明】
【技術分野】
【０００１】
本発明は、要介護者に装着し、要介護者の手や指の動きを拘束する介護用ミトンに関する。
【背景技術】
【０００２】
中度認知障害や高度認知障害を患う要介護者は、点滴チューブや胃ろうチューブ、経鼻管チューブの自己抜去行為、自傷行為、おむつ外し行為、暴力行為、弄便行為等を行うおそれがある。適切な治療や適切な介護の必要性からそのような行為を防止するため、要介護者の手や指の動きを拘束する介護用ミトンを要介護者に装着させる場合がある。そのような介護用ミトンが特許文献１に開示されている。
【０００３】
特許文献１に開示の介護用ミトンは、手を収納する袋状のミトン部と、ミトン部の手の平の側に配置されて衝撃吸収用のクッションパッドを内蔵するクッション部と、ミトン部の要介護者の手が挿入される開口部分に取り付けられてミトン部を要介護者の手首に固定するリストベルトとを備え、指先をクッション部の側面に差し込んでクッション部の縁の一部を摘持可能なポケット部がミトン部に形成されている。介護用ミトンでは、リストバンドの帯状のバンド本体で要介護者の手首を締め付けた後、リストバンドのバックルを利用してバンド本体の締め付け状態を保持する。この介護用ミトンは、要介護者の精神的なストレスを軽減しつつ、要介護者の手や指を安全に拘束することができる。
【先行技術文献】
【特許文献】
【０００４】
【特許文献１】特開２０１２−２２４９５３号公報
【発明の概要】
【発明が解決しようとする課題】
【０００５】
前記特許文献１に開示の介護用ミトンは、ミトン部と要介護者の手首とがリストバンドによって連結され、要介護者の介護用ミトンの抜去行為が防止される。しかし、この介護用ミトンは、リストバンドがミトン部の開口部分の外側に取り付けられ、リストバンドがミトン部の外側に露出するから、要介護者が自分の口や歯を利用してバンド本体からバックルを外し、要介護者が介護用ミトンを自ら脱ぎ捨ててしまう場合があり、点滴チューブや胃ろうチューブ、経鼻管チューブの自己抜去行為、自傷行為、おむつ外し行為、暴力行為、弄便行為等を有効に防止することができない場合がある。
【０００６】
本発明の目的は、要介護者の脱ぎ捨て行為を防ぐことができ、要介護者に適切な治療や適切な介護を施すことができる介護用ミトンを提供することにある。本発明の他の目的は、要介護者に容易に装着することができ、要介護者の手や指を安全に拘束することができるとともに、要介護者から容易に取り外すことができる介護用ミトンを提供することにある。
【課題を解決するための手段】
【０００７】
前記課題を解決するための本発明の前提は、要介護者に装着し、要介護者の手や指の動きを拘束する介護用ミトンである。
【０００８】
前記前提における本発明の特徴としては、介護用ミトンが、柔軟性を有する素材から作られて要介護者の手の甲の側に位置し、要介護者の前腕から五指へ向かう部位のうちの少なくとも五指と手の甲と手首を含む腕前端部位とを包被する第１包被材と、柔軟性を有する素材から作られて要介護者の手の平の側に位置し、要介護者の前腕から五指へ向かう部位のうちの少なくとも五指と手の平と手首を含む腕前端部位とを包被する第２包被材と、第１および第２包被材の周縁部に取り付けられてそれら包被材を連結する線ファスナと、第１および第２包被材のうちのいずれか一方の内面に取り付けられて要介護者の手首を介護用ミトンに連結するリストバンドとを有することにある。
【０００９】
本発明の一例としては、介護用ミトンが、第１包被材の内面に取り付けられて要介護者の少なくとも手の甲と五指とを包被する第１クッション材と、第２包被材リストバンドの内面に取り付けられて要介護者の少なくとも手の平と五指とを包被する第２クッション材とを含む。
【００１０】
本発明の他の一例としては、第１包被材と第１クッション材とが、要介護者の手の甲に並行する略平坦な形態を備え、第２包被材と第２クッション材とが、要介護者の手の平に並行する略平坦な形態を備え、介護用ミトンでは、第１および第２クッション材の硬さが第１および第２包被材のそれよりも硬く、第１および第２包被材の略平坦な形態が第１および第２クッション材の剛性によって保持される。
【００１１】
本発明の他の一例として、第１および第２クッション材のうちの少なくとも一方には、クッション材を貫通する貫通孔と、クッション材の肉厚を小さくした凹条溝とのうちの少なくとも一方が形成されている。
【００１２】
本発明の他の一例として、線ファスナには、要介護者の前腕のうちの手首を含む少なくとも腕前端部位を包被する第１および第２包被材の包被端から所定寸法延出し、線ファスナの全閉状態において線ファスナのスライダーが位置する自由延出部が形成されている。
【００１３】
本発明の他の一例としては、介護用ミトンが、線ファスナの自由延出部に取り付けられた第１点ファスナと、第１および第２包被材のうちのいずれか一方の内面に取り付けられた第２点ファスナとを含み、介護用ミトンでは、第１点ファスナと第２点ファスナとを係合させることで、線ファスナの自由延出部に位置するスライダーが第１および第２包被材の内側に位置する。
【００１４】
本発明の他の一例としては、第２点ファスナが、線ファスナを取り付けた第１および第２包被材のいずれか一方の周縁部であって要介護者の前腕のうちの手首を含む少なくとも腕前端部位を包被する第１および第２包被材のいずれか一方の内面に取り付けられている。
【００１５】
本発明の他の一例としては、リストバンドが、非伸縮性の素材から作られて要介護者の手首を包被し、要介護者の手首を第１および第２包被材のうちのいずれか一方に連結する非伸縮性リストバンドと、伸縮性の素材から作られて非伸縮性リストバンドの外側に位置し、要介護者の手首を第１および第２包被材のうちのいずれか一方に固定する伸縮性リストバンドとから形成されている。
【００１６】
本発明の他の一例としては、非伸縮性リストバンドが、要介護者の手首全体を包被する幅寸法を有し、介護用ミトンでは、要介護者の手首に伸縮性リストバンドを伸長下に装着することで伸縮性リストバンドが要介護者の手首を締め付け、非伸縮性リストバンドが要介護者の手首に密着する。
【００１７】
本発明の他の一例として、介護用ミトンでは、非伸縮性リストバンドどうしが面ファスナによって環状に連結され、面ファスナの固着位置を調節することで非伸縮性リストバンドの環の長さが調節されて非伸縮性リストバンドが要介護者の手首全体に密着する。
【発明の効果】
【００１８】
本発明に係る介護用ミトンによれば、要介護者の手首を介護用ミトンに連結するリストバンドが第１および第２包被材のうちのいずれか一方の内面に取り付けられているから、リストバンドが第１および第２包被材の外側に露出することはなく、リストバンドが第１および第２包被材の外側に露出する場合と異なり、要介護者が自分の口や歯を利用してリストバンドによる介護用ミトンと手首との連結を外すことはできず、要介護者の介護用ミトンの脱ぎ捨て行為を防ぐことができる。介護用ミトンは、要介護者の介護用ミトンの脱ぎ捨て行為を防ぐことができるから、要介護者の点滴チューブや胃ろうチューブ、経鼻管チューブの自己抜去行為、自傷行為、おむつ外し行為、暴力行為、弄便行為等を有効に防止することができ、要介護者に適切な治療や適切な介護を施すことができる。介護用ミトンは、リストバンドを要介護者の手首に装着した後、線ファスナによって第１および第２包被材の周縁部を連結することで介護用ミトンが要介護者に装着されるから、介護用ミトンを要介護者に容易に装着することができるとともに、線ファスナによって第１および第２包被材の周縁部の連結を解除した後、リストバンドを要介護者の手首から外すことで要介護者から介護用ミトンを取り外すから、介護用ミトンを要介護者から容易に取り外すことができる。介護用ミトンは、柔軟性を有する素材から作られた第１包被材が要介護者の前腕から五指へ向かう部位のうちの少なくとも五指と手の甲と手首を含む腕前端部位とを包被し、柔軟性を有する素材から作られた第２包被材が要介護者の前腕から五指へ向かう部位のうちの少なくとも五指と手の平と手首を含む腕前端部位とを包被するから、第１および第２包被材によって要介護者の手や指を安全に拘束することができる。
【００１９】
第１包被材の内面に取り付けられて要介護者の少なくとも手の甲と五指とを包被する第１クッション材と、第２包被材の内面に取り付けられて要介護者の少なくとも手の平と五指とを包被する第２クッション材とを含む介護用ミトンは、第１クッション材が要介護者の少なくとも手の甲と五指とに加えられる衝撃を吸収し、第２クッション材が要介護者の少なくとも手の平と五指とに加えられる衝撃を吸収するから、第１および第２それらクッション材によって要介護者の手や指の怪我を防ぐことができ、それらクッション材によって要介護者の手や指を安全に拘束することができる。
【００２０】
第１包被材と第１クッション材とが要介護者の手の甲に並行する略平坦な形態を備え、第２包被材と第２クッション材とが要介護者の手の平に並行する略平坦な形態を備え、第１および第２クッション材の硬さが第１および第２包被材のそれよりも硬く、第１および第２包被材の略平坦な形態が第１および第２クッション材の剛性によって保持される介護用ミトンは、第１および第２クッション材の剛性によって第１および第２包被材の略平坦な形態が保持されるから、介護用ミトンを装着した要介護者の手や指によって第１および第２包被材が握持されることはなく、要介護者の手や指によって第１および第２包被材が握持されることによる要介護者の自己抜去行為、自傷行為、おむつ外し行為、暴力行為、弄便行為等を防止することができる。
【００２１】
クッション材を貫通する貫通孔とクッション材の肉厚を小さくした凹条溝とのうちの少なくとも一方が第１および第２クッション材のうちの少なくとも一方に形成されている介護用ミトンは、クッション材を貫通する貫通孔やクッション材の肉厚を小さくした凹条溝を第１および第２クッション材のうちの少なくとも一方に形成することで、介護用ミトンの通気性を向上させることができ、介護用ミトンの装着中におけるムレを防ぐことができ、装着中の不快感を防ぐことができる。
【００２２】
要介護者の前腕のうちの手首を含む少なくとも腕前端部位を包被する第１および第２包被材の包被端から所定寸法延出し、線ファスナの全閉状態において線ファスナのスライダーが位置する自由延出部が線ファスナに形成されている介護用ミトンは、線ファスナに形成された自由延出部が不規則に遊動するから、線ファスナの全閉状態において線ファスナのスライダーが自由延出部に位置することで、介護用ミトンの装着中に要介護者が口や歯によってスライダーを操作することができず、要介護者によって線ファスナが不用意に開けられてしまうことはなく、介護用ミトンの装着状態を確実に維持ことができ、要介護者の介護用ミトンの脱ぎ捨て行為を防ぐことができる。介護用ミトンは、要介護者の介護用ミトンの脱ぎ捨て行為を防ぐことができるから、要介護者の点滴チューブや胃ろうチューブ、経鼻管チューブの自己抜去行為、自傷行為、おむつ外し行為、暴力行為、弄便行為等を有効に防止することができ、要介護者に適切な治療や適切な介護を施すことができる。
【００２３】
線ファスナの自由延出部に取り付けられた第１点ファスナと第１および第２包被材のうちのいずれか一方の内面に取り付けられた第２点ファスナとを含み、第１点ファスナと第２点ファスナとを係合させることで、線ファスナの自由延出部に位置するスライダーが第１および第２包被材の内側に位置する介護用ミトンは、第１および第２点ファスナを係合させ、線ファスナの自由延出部に位置するスライダーを第１および第２包被材の内側に位置させることで、スライダーが第１および第２包被材の外側に露出することはなく、スライダーが第１および第２包被材の外側に露出する場合と異なり、介護用ミトンの装着中に要介護者が口や歯によってスライダーを操作することができず、要介護者によって線ファスナが不用意に開けられてしまうことはなく、介護用ミトンの装着状態を確実に維持ことができ、要介護者の介護用ミトンの脱ぎ捨て行為を防ぐことができる。介護用ミトンは、要介護者の介護用ミトンの脱ぎ捨て行為を防ぐことができるから、要介護者の点滴チューブや胃ろうチューブ、経鼻管チューブの自己抜去行為、自傷行為、おむつ外し行為、暴力行為、弄便行為等を有効に防止することができ、要介護者に適切な治療や適切な介護を施すことができる。
【００２４】
第２点ファスナが線ファスナを取り付けた第１および第２包被材のいずれか一方の周縁部であって要介護者の前腕のうちの手首を含む少なくとも腕前端部位を包被する第１および第２包被材のいずれか一方の内面に取り付けられている介護用ミトンは、腕前端部位を包被する第１および第２包被材のいずれか一方の内面に第２点ファスナを取り付けることで、第１点ファスナと第２点ファスナとを容易に係合させることができ、線ファスナの自由延出部に位置するスライダーを第１および第２包被材の内側に位置させることができる。介護用ミトンは、第１点ファスナと第２点ファスナとの係合を容易に解除することができ、介護者が要介護者から介護用ミトンを容易に取り外すことができる。
【００２５】
リストバンドが非伸縮性の素材から作られて要介護者の手首を包被する非伸縮性リストバンドと伸縮性の素材から作られて非伸縮性リストバンドの外側に位置する伸縮性リストバンドとから形成されている介護用ミトンは、非伸縮性リストバンドおよび伸縮性リストバンドの２つのリストバンドによって要介護者の手首を第１および第２包被材のいずれか一方に連結するから、要介護者の手首と包被材との連結が不用意に解除されることはなく、それらリストバンドを利用して要介護者の手首を第１および第２包被材のいずれか一方に確実に連結することができる。介護用ミトンは、非伸縮性リストバンドと伸縮性リストバンドとが第１および第２包被材の外側に露出することはなく、それらリストバンドが第１および第２包被材の外側に露出する場合と異なり、要介護者が自分の口や歯を利用してそれらリストバンドによる介護用ミトンと手首との連結を外すことはできず、要介護者の介護用ミトンの脱ぎ捨て行為を防ぐことができる。介護用ミトンは、要介護者の介護用ミトンの脱ぎ捨て行為を防ぐことができるから、要介護者の点滴チューブや胃ろうチューブ、経鼻管チューブの自己抜去行為、自傷行為、おむつ外し行為、暴力行為、弄便行為等を有効に防止することができ、要介護者に適切な治療や適切な介護を施すことができる。
【００２６】
非伸縮性リストバンドが要介護者の手首全体を包被する幅寸法を有し、要介護者の手首に伸縮性リストバンドを伸長下に装着することで伸縮性リストバンドが要介護者の手首を締め付け、非伸縮性リストバンドが要介護者の手首に密着する介護用ミトンは、伸縮性リストバンドが要介護者の手首を締め付けることで、非伸縮性リストバンドが要介護者の手首に密着するから、要介護者の手首と包被材との連結が不用意に解除されることはなく、非伸縮性リストバンドや伸縮性リストバンドを利用して要介護者の手首を第１および第２包被材のいずれか一方に確実に連結することができる。
【００２７】
非伸縮性リストバンドどうしが面ファスナによって環状に連結され、面ファスナの固着位置を調節することで非伸縮性リストバンドの環の長さが調節されて非伸縮性リストバンドが要介護者の手首全体に密着する介護用ミトンは、面ファスナを利用して非伸縮性リストバンドを要介護者の手首全体に密着させることができるから、要介護者の手首と包被材との連結が不用意に解除されることはなく、非伸縮性リストバンドや伸縮性リストバンドを利用して要介護者の手首を第１および第２包被材のいずれか一方に確実に連結することができる。
【図面の簡単な説明】
【００２８】
【図１】一例として示す介護用ミトンの斜視図。
【図２】第２包被材の側から示す介護用ミトンの斜視図。
【図３】第１および第２包被材を開いた展開状態で示す介護用ミトンの内面斜視図。
【図４】第１および第２包被材を開いた展開状態で示す介護用ミトンの内面斜視図。
【図５】第１および第２包被材を開いた展開状態で示す介護用ミトンの外面斜視図。
【図６】図１のＡ−Ａ線端面図。
【図７】図３のＢ−Ｂ線端面図。
【図８】介護用ミトン１０の装着手順を説明する図。
【図９】図８から続く介護用ミトンの装着手順を説明する図。
【図１０】図９から続く介護用ミトンの装着手順を説明する図。
【図１１】他の一例として示す第１および第２クッション材の上面図およびＣ−Ｃ線端面図。
【図１２】他の一例として示す第１および第２クッション材の上面図およびＤ−Ｄ線端面図。
【発明を実施するための形態】
【００２９】
一例として示す介護用ミトン１０の斜視図である図１等の添付の図面を参照し、本発明に係る介護用ミトンの詳細を説明すると、以下のとおりである。なお、図２は、第２包被材１２の側から示す介護用ミトン１０の斜視図であり、図３，４は、第１および第２包被材１１，１２を開いた展開状態で示す介護用ミトン１０の内面斜視図である。図５は、第１および第２包被材１１，１２を開いた状態で示す介護用ミトン１０の外面斜視図であり、図６は、図１のＡ−Ａ線端面図である。図７は、図３のＢ−Ｂ線端面図である。図４は、非伸縮性リストバンド１８ａの面ファスナ４４（フックテープ４４ａおよびループテープ４４ｂ）を係合させた状態で示す。図１では、長さ方向を矢印Ｘで示し、幅方向を矢印Ｙで示す。
【００３０】
介護用ミトン１０は、要看護者５２に装着し、要看護者５２の手や指の動きを拘束する。要看護者５２には、主に中度認知障害や高度認知障害を患う認知症患者が含まれる。中度認知障害や高度認知障害を患う認知症患者は、点滴チューブや胃ろうチューブ、経鼻管チューブの自己抜去行為、自傷行為、おむつ外し行為、暴力行為、弄便行為等を行うおそれがあり、認知症患者に適切な治療および適切な介護を施すには、それらの行為を有効に防止する必要がある。介護用ミトン１０は、それらの行為を有効に防止し、要看護者５２に適切な治療および適切な介護を施すために使用される。
【００３１】
なお、図１では、１つの介護用ミトン１０のみを図示しているが、実際には右手および左手に装着する一対の介護用ミトン１０が存在する。介護用ミトン１０は、右手用および左手用を兼ねることができるが、右手用の介護用ミトン１０と左手用の介護用ミトン１０とが存在する場合もある。また、介護用ミトン１０の長さや幅、大きさについて特に限定はなく、男性用や女性用によってその大きさが異なる場合もある。
【００３２】
介護用ミトン１０は、第１包被材１１および第２包被材１２と、第１クッション材１３および第２クッション材１４と、線ファスナ１５（スライドファスナ）と、第１点ファスナ１６および第２点ファスナ１７と、リストバンド１８とを有する。介護用ミトン１０は、それが要看護者５２に装着されたときに、要看護者５２の手首と手の甲と手の平とを包被するとともに、要看護者５２の五指を一纏めに包被する。
【００３３】
第１包被材１１は、介護用ミトン１０が要看護者５２に装着されたときに、要看護者５２の手の甲の側に位置し、要看護者５２の前腕から五指へ向かう部位のうちの手の甲の側の五指と手の甲と手首を含む手の甲の側の腕前端部位とを包被する。第１包被材１１は、要看護者５２の手の甲に並行する略平坦な形態を備えている。なお、第１包被材１１は、前腕から五指へ向かう手の甲の側の部位のすべてを包被するものであってもよい。
【００３４】
第１包被材１１は、所定面積の内面１９および所定面積の外面２０を有し、要看護者５２の五指と手の甲と被う第１前包被部２１と、要看護者５２の手首を含む腕前端部位を被う第１後包被部２２とを有する。第１前包被部２１は、その周縁部２３が円弧を画いている。
【００３５】
第１包被材１１は、織物と編み物との複合生地から作られている。第１包被材１１では、タオル生地やガーゼ生地等の肌触りがよい織物が第１包被材１１の第１前包被部２１および第１後包被部２２の内面１９を形成し、編み物が第１包被材１１の第１前包被部２１および第１後包被部２２の外面２０を形成している。内面１９を形成する織物と外面２０を形成する編み物とは、それらの周縁部が縫製され、それらの周縁部において織物と編み物とが一体化している。なお、第１包被材１１は、織物や編み物、繊維不織布等の柔軟性を有する素材から作られていればよく、第１包被材１１の素材を織物と織物との複合生地に限定するものではない。
【００３６】
織物には、麻織物や綿織物、絹織物、毛織物を使用することができ、編み物には、各種の編み方で編み込まれた編み物を使用することができる。繊維不織布には、スパンボンド不織布やメルトブロー不織布、サーマルボンド不織布、ケミカルボンド不織布、ニードルパンチ不織布、スパンレース不織布等を使用することができる。
【００３７】
第２包被材１２は、介護用ミトン１０が要看護者５２に装着されたときに、要看護者５２の手の平の側に位置し、要看護者５２の前腕から五指へ向かう部位のうちの手の平の側の五指と手の平と手首を含む手の平の側の腕前端部位とを包被する。第２包被材１２は、第１包被材１１と略同形同大であり、要看護者５２の手の平に並行する略平坦な形態を備えている。なお、第２包被材１２は、前腕から五指へ向かう手の平の側の部位のすべてを包被するものであってもよい。
【００３８】
第２包被材１２は、所定面積の内面２４および所定面積の外面２５を有し、要看護者５２の五指と手の甲と被う略円状に成形された第２前包被部２６と、要看護者５２の手首を含む腕前端部位を被う第２後包被部２７とを有する。第２前包被部２６は、その周縁部２８が円弧を画いている。
【００３９】
第２包被材１２は、織物と編み物との複合生地から作られている。第２包被材１２では、タオル生地やガーゼ生地等の肌触りがよい織物が第２包被材１２の第２前包被部２６および第２後包被部２７の内面２４を形成し、編み物が第２包被材１２の第２前包被部２６および第２後包被部２７の外面２５を形成している。内面２４を形成する織物と外面を形成する編み物とは、それらの周縁部が縫製され、それらの周縁部において織物と編み物とが一体化している。なお、第２包被材１２は、織物や編み物、繊維不織布等の柔軟性を有する素材から作られていればよく、第２包被材１２の素材を織物と織物との複合生地に限定するものではない。
【００４０】
第１前包被部２１および第２前包被部２６の一部の周縁部２３，２８において第１包被材１１と第２包被材１２とが縫製（連結）され、第１後包被部２１および第２後包被部２６の一方の側縁部２９，３０（周縁部）において第１包被材１１と第２包被材１２とが縫製（連結）されることで、それら包被材１１，１２が連結されている。第１後包被部２２および第２後包被部２７の端縁３１では、第１包被材１１と第２包被材１２とが縫製されておらず、第１後包被部２２および第２後包被部２７の端縁３１には、線ファスナ１５によって第１包被材１１と第２包被材１２とを連結したときに、要看護者５２の腕が露出する開口３２が形成されている。
【００４１】
第１クッション材１３は、所定の厚みを有し、内面１９を形成する織物と外面２０を形成する編み物との間に介在した状態で第１包被材１１の第１前包被部２１の内面１９に取り付けられている。第１クッション材１３は、介護用ミトン１０が要看護者５２に装着されたときに、要看護者５２の手の甲の側に位置し、要看護者５２の前腕から五指へ向かう部位のうちの手の甲の側の五指と手の甲とを包被する。第１クッション材１３は、第１包被材１１の第１前包被部２１と略同形同大に成形され、要介護者の手の甲に並行する略平坦な形態を備えている。第１クッション材１３の厚みは、５〜７ｍｍの範囲にある。
【００４２】
第１クッション材１３には、低反発ウレタンフォームが使用されているが、高反発ウレタンフォームや発泡ポリエチレンフォーム、エチレンプロピレンゴムスポンジ、クロロプレンゴムスポンジ、天然ゴムスポンジ等を使用することもできる。第１クッション材１３は、その硬さが第１および第２包被材１１，１２のそれよりも硬く、第１および第２包被材１１，１２よりも高い剛性を有する。第１包被材１１の略平坦な形態は第１クッション材１３の剛性によって保持されている。
【００４３】
なお、第１クッション材１３が要看護者５２の前腕から五指へ向かう手の甲の側の部位のすべてを包被するものであってもよい。この場合は、第１クッション材１３が内面１９を形成する織物と外面２０を形成する編み物との間に介在した状態で第１包被材１１の第１前包被部２１と第１後包被部２２との内面１９に取り付けられる。
【００４４】
第２クッション材１４は、所定の厚みを有し、内面２５を形成する織物と外面２６を形成する編み物との間に介在した状態で第２包被材１２の第２前包被部２６の内面２４に取り付けられている。第２クッション材１４は、介護用ミトン１０が要看護者５２に装着されたときに、要看護者５２の手の平の側に位置し、要看護者５２の前腕から五指へ向かう部位のうちの手の平の側の五指と手の平とを包被する。第２クッション材１４は、第２包被材１２の第２前包被部２６と略同形同大に成形され、要看護者５２の手の平に並行する略平坦な形態を備えている。第２クッション材１４の厚みは、５〜７ｍｍの範囲にある。
【００４５】
第２クッション材１４の材質は、第１クッション材１３のそれと同一である。第２クッション材１４は、その硬さが第１および第２包被材１１，１２のそれよりも硬く、第１および第２包被材１１，１２よりも高い剛性を有する。第２包被材１２の略平坦な形態は第２クッション材１４の剛性によって保持されている。なお、第２クッション材１４が要看護者５２の前腕から五指へ向かう手の平の側の部位のすべてを包被するものであってもよい。この場合は、第２クッション材１４が内面２４を形成する織物と外面２５を形成する編み物との間に介在した状態で第２包被材１２の第２前包被部２６と第２後包被部２７との内面２４に取り付けられる。第１および第２包被材１１，１２の捩れや捻れ、折れ曲がり等の変形が第１および第２クッション材１３，１４によって防止される。
【００４６】
線ファスナ１５は、第１包被材１１と第２包被材１２との縫製箇所である第１前包被部２１の一部の周縁部２３を除く残余の周縁部２３に取り付けられているとともに、第１後包被部２２の他方の側縁部３３（周縁部）に取り付けられている。さらに、第１包被材１１と第２包被材１２との縫製箇所である第２前包被部２６の一部の周縁部２８を除く残余の周縁部２８に取り付けられているとともに、第２後包被部２７の他方の側縁部３４（周縁部）に取り付けられている。
【００４７】
線ファスナ１５は、合成樹脂テープや合繊テープ、綿テープ等によって作られたテープ３５と、金属や合成樹脂によって作られたエレメント３６と、金属や合成樹脂によって作られたスライダー３７とから形成されている。線ファスナ１５には、金属ファスナやコイルファスナ、プラスチックファスナを使用することができる。線ファスナ１５では、スライダー３７の移動（スライド）によってエレメント３６を係合させることで、第１および第２包被材１１，１２が連結され、スライダー３７の移動によってエレメント３６の係合を解除することで、第１および第２包被材１１，１２の連結が解除される。
【００４８】
線ファスナ１５には、自由延出部３８が形成されている。自由延出部３８は、要看護者５２の前腕のうちの手首を含む腕前端部位を包被する第１および第２包被材１１，１２の周縁部２３，２８の包被端（端縁３１）から長さ方向後方へ所定寸法延出している。自由延出部３８は、線ファスナ１５のみから形成され、第１および第２包被材１１，１２の第１および第２後包被部２２，２７の包被端（端縁３１）からの延出寸法が５〜７ｃｍの範囲にある。
【００４９】
自由延出部３８には、線ファスナ１５の全閉状態（第１および第２包被材１１，１２の連結状態）において線ファスナ１５のスライダー３７が位置する。自由延出部３８は、第１および第２後包被部２２，２７の包被端（端縁３１）から延出した状態において、その延出端３９（下止）が介護用ミトン１０の他の箇所に固定されておらず、不規則に遊動するから、自由延出部３８の延出端３９（下止）を摘持した状態でなければ、そこに位置するスライダー３７を移動させることができない。
【００５０】
第１および第２点ファスナ１６，１７は、ホックとスナップボタンとから形成されている。スナップボタンは、線ファスナ１５の自由延出部３８の延出端３９（下止）近傍に取り付けられている。ホックは、線ファスナ１５を取り付けた第１包被材１１の周縁部２３の内面１９であって第１包被材１１の第１後包被部２２の包被端近傍（要看護者５２の前腕のうちの手首を含む前端部位を包被する第１包被材１１の第１後包被部２２の包被端近傍の内面）に取り付けられている。
【００５１】
なお、線ファスナ１５を取り付けた第２包被材１２の周縁部２８の内面２４であって第２包被材１２の第２後包被部２７の包被端近傍（要看護者５２の前腕のうちの手首を含む前端部位を包被する第２包被材１２の第２後包被部２７の包被端近傍の内面）にホックが取り付けられていてもよい。また、第１および第２点ファスナ１６，１７として、ホックおよびスナップボタンの他に、鍵ホック（ホックおよびアイ）を使用することもできる。
【００５２】
第１点ファスナ１６（ホックまたはスナップボタンの一方）と第２点ファスナ１７（ホックまたはスナップボタンの他方）とを係合させることで、線ファスナ１５の自由延出部３８の延出端３９（下止）が介護用ミトン１０の内側（内部））に位置し、それによって線ファスナ１５の自由延出部３８の延出端３９（下止）近傍に位置する線ファスナ１５のスライダー３７が第１および第２包被材１１，１２の内側（第１および第２後包被部１１，１２の包被端近傍における介護用ミトン１０の内側（内部））に位置する。
【００５３】
リストバンド１８は、織物や編み物、繊維不織布等の非伸縮性の素材から作られた幅方向へ長い非伸縮性リストバンド１８ａと、ゴムや伸縮性繊維不織布等の伸縮性の素材から作られた幅方向へ長い伸縮性リストバンド１８ｂとから形成されている。非伸縮性リストバンド１８ａは、第２包被材１２の第２後包被部２７の中央４０（要看護者５２の手首を包被する位置）に位置して幅方向へ延びている。
【００５４】
非伸縮性リストバンド１８ａは、第２包被材１２の第２後包被部２７の中央４０内面に縫製によって固定された中央部４１と、中央部４１から第１包被材１１に向かって幅方向へ延びる第１非伸縮性自由部４２と、中央部４１を挟んで第１非伸縮性自由部４２の反対側に位置し、中央部４１から第１包被材１１の反対側に向かって幅方向へ延びる第２非伸縮性自由部４３とを有する。非伸縮性リストバンド１８ａ（中央部４１、第１および第２非伸縮性自由部４２，４３）は、要看護者５２の手首全体を包被する長さ寸法（幅方向の寸法）と幅寸法（前後方向の寸法）とを有する。
【００５５】
非伸縮性リストバンド１８ａの第１非伸縮性自由部４２の内面には、面ファスナ４４のうちのフックテープ４４ａが取り付けられている。非伸縮性リストバンド１８ａの第２非伸縮性自由部４３の外面の略全域には、面ファスナ４４のうちのループテープ４４ｂが取り付けられている。非伸縮性リストバンド１８ａは、フックテープ４４ａとループテープ４４ｂとを係合させることで、非伸縮性リストバンド１８ａの第１非伸縮性自由部４２と第２非伸縮性自由部と４３（非伸縮性リストバンド１８ａどうし）が環状に連結される。
【００５６】
非伸縮性リストバンド１８ａは、それが要看護者５２に取り付けられたときに、要看護者５２の手首全体を包被しつつ、要看護者５２の手首を第２包被材１２（介護用ミトン１０）に連結する。非伸縮性リストバンド１８ａは、ループテープ４４ｂ（第２非伸縮性自由部４３）に対するフックテープ４４ａ（第１非伸縮性自由部４２）の固着位置（止着位置）を調節することで、非伸縮性リストバンド１８ａの環の長さが調節され、非伸縮性リストバンド１８ａが要看護者５２の手首全体に密着する。
【００５７】
伸縮性リストバンド１８ｂは、非伸縮性リストバンド１８ａの外面の側（外側）であって第２包被材１２の第２後包被部２７の中央４０（要看護者５２の手首を包被する位置）に位置して幅方向へ延びている。伸縮性リストバンド１８ｂは、第２包被材１２の第２後包被部２７の中央４０内面に縫製によって固定された中央部４５と、中央部４５から第１包被材１１に向かって幅方向へ延びる第１伸縮性自由部４６と、中央部４５を挟んで第１伸縮性自由部４５の反対側に位置し、中央部４５から第１包被材１１の反対側に向かって幅方向へ延びる第２伸縮性自由部４６とを有する。伸縮性リストバンド１８ｂ（中央部４５、第１および第２伸縮性自由部４６，４７）は、要看護者５２の手首全体を包被する長さ寸法（幅方向の寸法）を有する。
【００５８】
伸縮性リストバンド１８ｂの第１伸縮性自由部４６の先端には、合成樹脂製の雌ジョイント部材４８（着脱器）が取り付けられている。伸縮性リストバンド１８ｂの第２伸縮性自由部４７の先端には、合成樹脂製の雄ジョイント部材４９（着脱器）が取り付けられている。伸縮性リストバンド１８ｂは、雌ジョイント部材４８と雄ジョイント部材４９とを嵌合させることで、伸縮性リストバンド１８ｂの第１伸縮性自由部４６と第２伸縮性自由部４７と（伸縮性リストバンド１８ｂどうし）が環状に連結される。
【００５９】
伸縮性リストバンド１８ｂは、それが要看護者５２に取り付けられたときに、要看護者５２の手首を包被しつつ、要看護者５２の手首を第２包被材１２（介護用ミトン１０）に連結固定する。伸縮性リストバンド１８ｂを要看護者５２の手首に伸長下に装着することで伸縮性リストバンド１８ｂが要看護者５２の手首を締め付け、非伸縮性リストバンド１８ａが要看護者５２の手首に密着する。なお、非伸縮性リストバンド１８ａと伸縮性リストバンド１８ｂとが第１包被材１１の第１後包被部２２の中央内面に取り付けられて幅方向へ延びていてもよい。
【００６０】
なお、図示はしていないが、介護用ミトン１０としては、第１包被材１１の第１前包被部２１と第２包被材１２の第２前包被部２６とが第１および第２後包被部２２，２７の近傍において二股に分かれ、一方の第１前包被部２１と第２前包被部２６とが要看護者５２の五指のうちの親指を除く４指を一纏めに包被し、他方の第１前包被部２１と第２前包被部２６とが要看護者５２の五指のうちの親指を別に包被するとともに、第１クッション材１２と第２クッション材１３とが第１および第２後包被部２２，２７の近傍において二股に分かれ、一方の第１クッション材１２と第２クッション材１３とが要看護者５２の五指のうちの親指を除く４指を一纏めに包被し、他方の第１クッション材１２と第２クッション材１３とが要看護者５２の五指のうちの親指を別に包被する二股タイプのものあってもよい。二股タイプの介護用ミトン１０の場合、右手用の介護用ミトン１０と左手用の介護用ミトン１０との一対のそれらが存在する。
【００６１】
図８は、介護用ミトン１０の装着手順を説明する図であり、図９は、図８から続く介護用ミトン１０の装着手順を説明する図である。図１０は、図９から続く介護用ミトン１０の装着手順を説明する図である。看護師や介護者が要看護者５２に介護用ミトン１０を装着する手順の一例を説明すると、以下のとおりである。
【００６２】
看護師や介護者は、図１の状態にある介護用ミトン１０の線ファスナ１５の自由延出部３８の延出端３９（下止）近傍を指で掴み、第１包被材１１の第１後包被部２２の包被端近傍（端縁３１近傍）に取り付けられたホック（第１または第２点ファスナ１６，１７）からスナップボタン（第１または第２点ファスナ１６，１７）を外し、線ファスナ１５の自由延出部３８を介護用ミトン１０の内側から外側へ引き出す。
【００６３】
次に、線ファスナ１５の自由延出部３８の延出端３９近傍に位置するスライダー３７の引き手を指で掴み、第１および第２包被材１１，１２の周縁部２３，２８に沿ってスライダー３７を第１および第２後包被部２２，２７から第１および第２前包被部２１，２６に向かって移動させ、エレメント３６の係合を解除して第１および第２包被材１１，１２の連結を解除する。
【００６４】
第１および第２包被材１１，１２の連結を解除した後、第２包被材１２に対して第１包被材１１を幅方向へ開いて（展開して）リストバンド１８を露出させ、伸縮性リストバンド１８ｂの雄ジョイント部材４９と雌ジョイント部材４８との嵌合を解除するとともに、非伸縮性リストバンド１８ａのフックテープ４４ａとループテープ４４ｂとの係合を解除し、図３の展開状態にする。
【００６５】
図３の展開状態にある介護用ミトン１０の第２包被材１２の第２前包被部２６の内面２５に要看護者５２の右手または左手（図８では左手）の手の平を乗せるとともに、第２包被材１２の第２後包被部２７の内面２５に要看護者５２の右手または左手（図８では左手）の手首を含む前端部位を乗せる。第２包被材１２に要看護者５２の手を乗せると、図８に示すように、第２包被材１２の第２前包被部２６の内面２５および第２クッション材１４に要看護者５２の手の平側の五指と手の平とが当接し、第２包被材１２の第２後包被部２７の内面２５に要看護者５２の手首を含む手の平側の腕前端部位が当接する。
【００６６】
次に、非伸縮性リストバンド１８ａが要看護者５２の手首全体に密着するように、非伸縮性リストバンド１８ａのループテープ４４ｂ（第２非伸縮性自由部４３）に対するフックテープ４４ａ（第１非伸縮性自由部４２）の固着位置（止着位置）を調節しつつ、フックテープ４４ａとループテープ４４ｂとを係合させ、第１非伸縮性自由部４２と第２非伸縮性自由部４３とを環状に連結する。非伸縮性リストバンド１８ａの第１非伸縮性自由部４２と第２非伸縮性自由部４３とを連結すると、非伸縮性リストバンド１８ａによって要看護者５２の手首が第２包被材１２（介護用ミトン１０）に連結される。
【００６７】
伸縮性リストバンド１８ｂの雄ジョイント部材４９と雌ジョイント部材４８とを指で掴み、雄ジョイント部材４９と雌ジョイント部材４８と幅方向外方へ引っ張って第１伸縮性自由部４６と第２伸縮性自由部４７とを幅方向へ伸長させつつ、雄ジョイント部材４９と雌ジョイント部材４８とを嵌合させ、伸縮性リストバンド１８ｂの第１伸縮性自由部４６と第２伸縮性自由部４７とを環状に連結し、伸縮性リストバンド１８ｂを要看護者５２の手首に伸長下に装着する。
【００６８】
伸縮性リストバンド１８ｂの第１伸縮性自由部４６と第２伸縮性自由部４７とを伸長状態で連結すると、伸縮性リストバンド１８ｂの伸縮弾性によって要看護者５２の手首が第２包被材１２に連結固定される。伸縮性リストバンド１８ｂを要看護者５２の手首に伸長下に装着することで伸縮性リストバンド１８ｂが要看護者５２の手首を締め付け、伸縮性リストバンド１８ｂと非伸縮性リストバンド１８ａとが要看護者５２の手首に密着する。
【００６９】
非伸縮性リストバンド１８ａと伸縮性リストバンド１８ｂとを要看護者５２の手首に取り付けた後、第１包被材１１の内面１９と第２包被材１２の内面２５とが対向するように、第１包被材１１を第２包被材１２の方向へ折り返す。第１包被材１１を第２包被材１２の方向へ折り返すと、要看護者５２の手の甲側の五指と手の甲とに第１包被材１１の第１前包被部２１の内面１９および第１クッション材１３が当接し、要看護者５２の手首を含む手の甲側の腕前端部位に第１包被材１１の第１後包被部２２の内面１９が当接する。
【００７０】
第１包被材１１を第２包被材１２の方向へ折り返した後、線ファスナ１５のスライダー３７の引き手を指で掴み、第１および第２包被材１１，１２の周縁部２３，２８に沿ってスライダー３７を第１および第２前包被部２１，２６から第１および第２後包被部２２，２７に向かって移動させる。スライダー３７を線ファスナ１５の自由延出部３８の延出端３９（下止）まで移動させてエレメント３６を係合させ、線ファスナ１５によって第１および第２包被材１１，１２の周縁部２３，２８および側縁部３３，３４を連結する。第１および第２包被材１１，１２を連結すると、図９に示すように、第１後包被部２２および第２後包被部２７の端縁３１に囲繞された開口３２から要看護者５２の腕が露出する。スライダー３７は線ファスナ１５の自由延出部３８の延出端３９近傍に位置する。
【００７１】
次に、線ファスナ１５の自由延出部３８の延出端３９（下止）近傍を指で掴み、自由延出部３８を第１包被材１１の第１後包被部２２の内面２５（介護用ミトン１０の内側）に進入させ、自由延出部３８の延出端３８近傍に取り付けられたスナップボタン（第１または第２点ファスナ１６，１７）を第１包被材１１の第１後包被部２２の包被端近傍に取り付けられたホック（第１または第２点ファスナ１６，１７）に押し付け、スナップボタンとホックとを嵌合させる。スナップボタンとホックとを嵌合させると、図１０に示すように、線ファスナ１５の自由延出部３８に位置するスライダー３７が第１包被材１１の第１後包被部２２の内面２５（介護用ミトン１０の内側）に位置する。
【００７２】
スナップボタンとホックとを嵌合させることで、要看護者５２に対する介護用ミトン１０の装着が完了する。介護用ミトン１０を要看護者５２に装着することで、要看護者５２の五指を含む手全体が第１および第２包被材１１，１２の間（介護用ミトン１０の内部）に位置し、要看護者５２の手や指の動きが介護用ミトン１０の内部だけに限られ、要看護者５２の手や指の動きが拘束される。看護師や介護者は、要看護者５２に介護用ミトン１０を装着した状態で要看護者５２に適切な治療や適切な介護を施す。
【００７３】
看護師や介護者が要看護者５２から介護用ミトン１０を取り外す手順の一例を説明すると、以下のとおりである。看護師や介護者は、装着状態にある介護用ミトン１０の線ファスナ１５の自由延出部３８の延出端３９（下止）近傍を指で掴み、第１包被材１１の第１後包被部２２の包被端近傍に取り付けられたホックからスナップボタンを外し、線ファスナ１５の自由延出部３８を介護用ミトン１０の内側から外側へ引き出す。次に、線ファスナ１５の自由延出部３８の延出端３９近傍に位置するスライダー３７の引き手を指で掴み、第１および第２包被材１１，１２の周縁部２３，２８に沿ってスライダー３７を移動させ、エレメント３６の係合を解除して第１および第２包被材１１，１２の連結を解除する。
【００７４】
第１および第２包被材１１，１２の連結を解除した後、第２包被材１２に対して第１包被材１１を幅方向へ開き（展開し）、伸縮性リストバンド１８ｂの雄ジョイント部材４９と雌ジョイント部材４８との嵌合を解除し、伸縮性リストバンド１８ｂの第１伸縮性自由部４６と第２伸縮性自由部４７との連結を解除するとともに、非伸縮性リストバンド１８ａのフックテープ４４ａとループテープ４４ｂとの係合を解除し、非伸縮性リストバンド１８ａの第１非伸縮性自由部４２と第２非伸縮性自由部４３との連結を解除する。それらリストバンド１８ａ，１８ｂの連結を解除した後、要看護者５２の五指を含む手を第２包被材１２から離間させる。
【００７５】
介護用ミトン１０は、非伸縮性リストバンド１８ａおよび伸縮性リストバンド１８ｂの２つのリストバンド１８によって要看護者５２の手首を第２包被材１２（介護用ミトン１０）に連結するから、要看護者５２の手首と包被材１２との連結が不用意に解除されることはなく、それらリストバンド１８ａ，１８ｂを利用して要看護者５２の手首を第２包被材１２（介護用ミトン１０）に確実に連結することができる。
【００７６】
介護用ミトン１０は、要看護者５２の手首を第２包被材１２（介護用ミトン１０）に連結する非伸縮性リストバンド１８ａや伸縮性リストバンド１８ｂが第２包被材１２の内面２４（介護用ミトン１０の内側）に取り付けられているから、それらリストバンド１８ａ，１８ｂが第１および第２包被材１１，１２の外側に露出することはなく、それらリストバンド１８ａ，１８ｂが第１および第２包被材１１，１２の外側に露出する場合と異なり、要看護者５２が自分の口や歯を利用してリストバンド１８ａ，１８ｂによる介護用ミトン１０と手首との連結を外すことはできず、要看護者５２の介護用ミトン１０の脱ぎ捨て行為を防ぐことができる。
【００７７】
介護用ミトン１０は、要看護者５２の介護用ミトン１０の脱ぎ捨て行為を防ぐことができるから、要看護者５２の点滴チューブや胃ろうチューブ、経鼻管チューブの自己抜去行為、自傷行為、おむつ外し行為、暴力行為、弄便行為等を有効に防止することができ、看護師や介護者が要看護者５２に適切な治療や適切な介護を施すことができる。
【００７８】
介護用ミトン１０は、リストバンド１８ａ，１８ｂを要看護者５２の手首に装着した後、線ファスナ１５によって第１および第２包被材１１，１２の周縁部２３，２８を連結することで介護用ミトン１０が要看護者５２に装着されるから、介護用ミトン１０を要看護者５２に容易に装着することができるとともに、線ファスナ１５によって第１および第２包被材１１，１２の周縁部２３，２８の連結を解除した後、非伸縮性リストバンド１８ａや伸縮性リストバンド１８ｂを要看護者５２の手首から外すことで要看護者５２から介護用ミトン１０を取り外すから、介護用ミトン１０を要看護者５２から容易に取り外すことができる。
【００７９】
介護用ミトン１０は、柔軟性を有する素材から作られた第１包被材１１が要看護者５２の手の甲側の五指と手の甲と手首を含む手の甲側の腕前端部位とを包被し、柔軟性を有する素材から作られた第２包被材１２が要看護者５２の手の平側の五指と手の平と手首を含む手の平側の腕前端部位とを包被し、さらに、第１クッション材１３が要看護者５２の少なくとも手の甲と手の甲側の五指とに加えられる衝撃を吸収し、第２クッション材１４が要看護者５２の少なくとも手の平と手の平側の五指とに加えられる衝撃を吸収するから、第１および第２包被材１１，１２や第１および第２クッション材１３，１４によって要看護者５２の手や指の怪我を防ぐことができ、それら包装材１１，１２やそれらクッション材１３，１４によって要看護者５２の手や指を安全に拘束することができる。
【００８０】
介護用ミトン１０は、第１クッション材１３の剛性（硬さ）によって第１包被材１１の略平坦な形態が保持され、第２クッション材１４の剛性（硬さ）によって第２包被材１２の略平坦な形態が保持されるから、介護用ミトン１０を装着した要看護者５２の手や指によって第１および第２包被材１１，１２が握持されることはなく、要看護者５２の手や指によって第１および第２包被材１１，１２が握持されることによる要看護者５２の自己抜去行為、自傷行為、おむつ外し行為、暴力行為、弄便行為等を防止することができる。
【００８１】
介護用ミトン１０は、線ファスナ１５に形成された自由延出部３８が不規則に遊動するから、線ファスナ１５の全閉状態において線ファスナ１５のスライダー３７が自由延出部３８に位置することで、介護用ミトン１０の装着中に要看護者５２が口や歯によってスライダー３７を操作することができず、要看護者５２によって線ファスナ１５が不用意に開けられてしまうことはなく、介護用ミトン１０の装着状態を確実に維持ことができ、要看護者５２の介護用ミトン１０の脱ぎ捨て行為を確実に防ぐことができる。
【００８２】
介護用ミトン１０は、第１点ファスナ１６（ホックまたはスナップボタンの一方）と第２点ファスナ１７（ホックまたはスナップボタンの他方）とを係合させ、線ファスナ１５の自由延出部３８の延出端３９（下止）近傍に位置するスライダー３７を第１および第２包被材１１，１２の内側（介護用ミトン１０の内部）に位置させることで、スライダー３７が第１および第２包被材１１，１２の外側に露出することはなく、スライダー３７が第１および第２包被材１１，１２の外側に露出する場合と異なり、介護用ミトン１０の装着中に要看護者５２が口や歯によってスライダー３７を操作することができず、要看護者５２によって線ファスナ１５が不用意に開けられてしまうことはなく、介護用ミトン１０の装着状態を確実に維持ことができ、要看護者５２の介護用ミトン１０の脱ぎ捨て行為を確実に防ぐことができる。
【００８３】
図１１は、他の一例として示す第１および第２クッション材１３，１４の上面図およびＣ−Ｃ線端面図である。図１１に示す第１および第２クッション材１３，１４には、それらクッション材１３，１４を貫通する前後方向へ長い複数条の貫通孔５０が形成されている。なお、貫通孔５０が円形であってそれらクッション材１３，１４に複数の円形の貫通孔５０が形成されていてもよい。貫通孔５０は、それらクッション材１３，１４のうちのいずれか一方に形成されていてもよい。
【００８４】
図１２は、他の一例として示す第１および第２クッション材１３，１４の上面図およびＤ−Ｄ線端面図である。図１２に示す第１および第２クッション材１３，１４には、それらクッション材１３，１４の肉厚を小さくした前後方向へ長い複数条の凹条溝５１が形成されている。凹条溝５１は、それらクッション材１３，１４のうちのいずれか一方に形成されていてもよい。
【００８５】
図１１や図１２のクッション材１３，１４を備えた介護用ミトン１０，１０Ｂは、クッション材１３，１４を貫通する貫通孔５０やクッション材１３，１４の肉厚を小さくした凹条溝５１を第１および第２クッション材１３，１４のうちの少なくとも一方に形成することで、介護用ミトン１０の通気性を向上させることができ、介護用ミトン１０の装着中におけるムレを防ぐことができ、装着中の不快感を防ぐことができる。
【符号の説明】
【００８６】
１０    介護用ミトン
１１    第１包被材
１２    第２包被材
１３    第１クッション材
１４    第２クッション材
１５    線ファスナ
１６    第１点ファスナ
１７    第２点ファスナ
１８    リストバンド
１８ａ  非伸縮リストバンド
１８ｂ  伸縮リストバンド
１９    内面
２０    外面
２１    第１前包被部
２２    第１後包被部
２３    周縁部
２４    内面
２５    外面
２６    第２前包被部
２７    第２後包被部
２８    周縁部
２９    側縁部
３０    側縁部
３１    端縁
３２    開口
３３    側縁部
３４    側縁部
３５    テープ
３６    エレメント
３７    スライダー
３８    自由延出部
３９    延出端
４０    中央
４１    中央部
４２    第１非伸縮性自由部
４３    第２非伸縮性自由部
４４    面ファスナ
４４ａ  フックテープ
４４ｂ  ループテープ
４５    中央部
４６    第１伸縮性自由部
４７    第２伸縮性自由部
４８    雌ジョイント
４９    雄ジョイント
５０    貫通孔
５１    凹条溝
５２    要看護者
【図１】
2018028152.tif 000003
【図２】
2018028152.tif 000004
【図３】
2018028152.tif 000005
【図４】
2018028152.tif 000006
【図５】
2018028152.tif 000007
【図６】
2018028152.tif 000008
【図７】
2018028152.tif 000009
【図８】
2018028152.tif 000010
【図９】
2018028152.tif 000011
【図１０】
2018028152.tif 000012
【図１１】
2018028152.tif 000013
【図１２】
2018028152.tif 000014